(57)【特許請求の範囲】
【請求項１】
開口部を有する収納部と、
前記開口部の一辺に連結され、前記開口部を開閉可能に覆う冠と、
前記収納部と前記冠との連結部分に固定される固定端と、該固定端の他端である係止端と、を有し、前記固定端を軸に前記開口部を開閉可能に覆う中蓋と、
前記中蓋を開いた場合に前記係止端を前記冠に係止し、前記中蓋を閉じた場合に前記係止端を前記収納部に係止する係止具と、を備える、
ことを特徴とするランドセル。
【請求項２】
前記係止具は、
前記係止端に設置される第１の磁性体と、
前記冠に設置される第２の磁性体と、
前記収納部に設置される第３の磁性体と、を有し、
前記係止端は、
前記中蓋を開いた場合、前記第１の磁性体と前記第２の磁性体との間で発生する磁力によって前記冠に係止され、
前記中蓋を閉じた場合、前記第１の磁性体と前記第３の磁性体との間で発生する磁力によって前記収納部に係止される、
ことを特徴とする請求項１に記載のランドセル。
【請求項３】
前記係止具は、
前記係止端の両面に設置される第１の面ファスナーと、
前記冠に設置される第２の面ファスナーと、
前記収納部に設置される第３の面ファスナーと、を有し、
前記係止端は、
前記中蓋を開いた場合、前記第１の面ファスナーと前記第２の面ファスナーとの接着力によって前記冠に係止され、
前記中蓋を閉じた場合、前記第１の面ファスナーと前記第３の面ファスナーとの間の接着力によって前記収納部に係止される、
ことを特徴とする請求項１に記載のランドセル。
【請求項４】
前記係止具は、
前記係止端に設置される第１の磁性体および第１の面ファスナーと、
前記冠に設置される第２の磁性体と、
前記収納部に設置される第２の面ファスナーと、を有し、
前記係止端は、
前記中蓋を開いた場合、前記第１の磁性体と前記第２の磁性体との間で発生する磁力によって前記冠に係止され、
前記中蓋を閉じた場合、前記第１の面ファスナーと第２の面ファスナーとの間の接着力によって前記収納部に係止される、
ことを特徴とする請求項１に記載のランドセル。
【請求項５】
前記冠は、前記冠を閉じた場合に、前記収納部の開口部上に曲面を形成し、
前記中蓋は、前記固定端と前記係止端との中央に位置し、収納部側に向かって反るときの反り量が冠側に向かって反るときの反り量よりも小さい蓋本体部を有し、
第２の磁性体は、前記中蓋を開いた場合に前記第１の磁性体に対応する位置で、かつ、前記中蓋と前記冠とを閉じた場合に前記第１の磁性体から離れる位置に設置され、
前記係止端は、前記冠を閉じる際の力によって前記第２の磁性体から離れ、さらに、第１の磁性体と前記第３の磁性体との吸引力によって前記収納部に吸着する、
ことを特徴とする請求項２に記載のランドセル。
【請求項６】
前記蓋本体部は、
柔軟性を有するシートと、
該シートの前記収納部に対向する側の面に、前記係止端または前記固定端と平行に複数配置される横長の板状体と、を有し、
収納部側に向かって反るときの反り量が、前記板状体同士が接触することによって、一定量以下に抑制される、
ことを特徴とする請求項５に記載のランドセル。
【請求項７】
前記蓋本体部は、
前記板状体と前記板状体との間に、所定間隔の隙間、あるいは、収納部側に向かって開いた切り込み、を有する、
ことを特徴とする請求項６に記載のランドセル。
【請求項８】
前記係止端を前記冠に係止したときの前記第１の磁性体と前記第２の磁性体の吸引力は、前記係止端を前記収納部に係止したときの前記第１の磁性体と前記第３の磁性体の吸引力よりも弱く、
前記係止端は、前記冠を閉じる際に、前記第２の磁性体から離れ、前記第１の磁性体と第３の磁性体との吸引力によって前記収納部に吸着する、
ことを特徴とする請求項２、５、６、または、７に記載のランドセル。
【請求項９】
前記第１の磁性体は、前記中蓋の収納部側表面に設置され、
前記第１の磁性体と前記第２の磁性体は、すくなくとも前記中蓋を間に挟んで係止する、
ことを特徴とする請求項８に記載のランドセル。
【請求項１０】
前記固定端は、前記収納部と前記冠との連結部分に着脱可能に固定される、
ことを特徴とする請求項１乃至９のいずれか１項に記載のランドセル。
【請求項１１】
開口部を有する収納部と、前記開口部の一辺に連結され前記開口部を開閉可能に覆う冠と、を備えるランドセルの前記開口部を開閉可能に覆うためのランドセル用の中蓋であって、
前記中蓋は、前記収納部と前記冠との連結部分に固定される固定端と、該固定端の他端である係止端と、を有し、
前記係止端には、前記中蓋を開いた場合に前記中蓋を前記冠に係止し、前記中蓋を閉じた場合に前記収納部を中蓋に係止するための係止具の一部が設置されている、
ことを特徴とする中蓋。
【発明の詳細な説明】
【技術分野】
【０００１】
本発明は、中蓋付ランドセル、及びランドセル用の中蓋に関する。
【背景技術】
【０００２】
一般的に、ランドセルは、教科書等を入れる収納部と、収納部開口を開閉可能に覆う「冠（かぶせ）」とを備えている。収納部の底部および冠の先端には「錠前」と呼ばれる一対の固定具が備えられていて、冠はその錠前により収納部にしっかり固定される。特許文献１には、収納部の底部に錠前を備えるランドセルが開示されている。
【先行技術文献】
【特許文献】
【０００３】
【特許文献１】特開２００２−３６９７０７号公報
【発明の概要】
【発明が解決しようとする課題】
【０００４】
冠は錠前でしっかり固定されるので、小学生が飛び跳ねたぐらいで、教科書等がランドセルから出ることはない。しかしながら、錠前で冠を固定するのを面倒に感じる小学生も多く、冠を固定しないまま通学している小学生もよく見かける。そのような小学生が、ランドセルを背負ったまま飛び跳ねたり、お辞儀したりすると、収納部に入れた物がランドセルから出て、周囲に散乱してしまうという問題がある。
【０００５】
本発明はこのような問題に鑑みてなされたものであり、冠が固定されていない場合であっても、収納物が意図せず外に出ることの少ないランドセル、及びランドセル用の中蓋を提供することを目的とする。
【課題を解決するための手段】
【０００６】
上記目的を達成するため、本発明の第１の観点にかかるランドセルは、
開口部を有する収納部と、
前記開口部の一辺に連結され、前記開口部を開閉可能に覆う冠と、
前記収納部と前記冠との連結部分に固定される固定端と、該固定端の他端である係止端と、を有し、前記固定端を軸に前記開口部を開閉可能に覆う中蓋と、
前記中蓋を開いた場合に前記係止端を前記冠に係止し、前記中蓋を閉じた場合に前記係止端を前記収納部に係止する係止具と、を備える、
ことを特徴とする。
【０００７】
前記係止具は、
前記係止端に設置される第１の磁性体と、
前記冠に設置される第２の磁性体と、
前記収納部に設置される第３の磁性体と、を有し、
前記係止端は、
前記中蓋を開いた場合、前記第１の磁性体と前記第２の磁性体との間で発生する磁力によって前記冠に係止され、
前記中蓋を閉じた場合、前記第１の磁性体と前記第３の磁性体との間で発生する磁力によって前記収納部に係止されてもよい。
【０００８】
前記係止具は、
前記係止端の両面に設置される第１の面ファスナーと、
前記冠に設置される第２の面ファスナーと、
前記収納部に設置される第３の面ファスナーと、を有し、
前記係止端は、
前記中蓋を開いた場合、前記第１の面ファスナーと前記第２の面ファスナーとの接着力によって前記冠に係止され、
前記中蓋を閉じた場合、前記第１の面ファスナーと前記第３の面ファスナーとの間の接着力によって前記収納部に係止されてもよい。
【０００９】
前記係止具は、
前記係止端に設置される第１の磁性体および第１の面ファスナーと、
前記冠に設置される第２の磁性体と、
前記収納部に設置される第２の面ファスナーと、を有し、
前記係止端は、
前記中蓋を開いた場合、前記第１の磁性体と前記第２の磁性体との間で発生する磁力によって前記冠に係止され、
前記中蓋を閉じた場合、前記第１の面ファスナーと第２の面ファスナーとの間の接着力によって前記収納部に係止されてもよい。
【００１０】
前記冠は、前記冠を閉じた場合に、前記収納部の開口部上に曲面を形成し、
前記中蓋は、前記固定端と前記係止端との中央に位置し、収納部側に向かって反るときの反り量が冠側に向かって反るときの反り量よりも小さい蓋本体部を有し、
第２の磁性体は、前記中蓋を開いた場合に前記第１の磁性体に対応する位置で、かつ、前記中蓋と前記冠とを閉じた場合に前記第１の磁性体から離れる位置に設置され、
前記係止端は、前記冠を閉じる際の力によって前記第２の磁性体から離れ、さらに、第１の磁性体と前記第３の磁性体との吸引力によって前記収納部に吸着してもよい。
【００１１】
前記蓋本体部は、
柔軟性を有するシートと、
該シートの前記収納部に対向する側の面に、前記係止端または前記固定端と平行に複数配置される横長の板状体と、を有し、
収納部側に向かって反るときの反り量が、前記板状体同士が接触することによって、一定量以下に抑制されてもよい。
【００１２】
前記蓋本体部は、
前記板状体と前記板状体との間に、所定間隔の隙間、あるいは、収納部側に向かって開いた切り込み、を有していてもよい。
【００１３】
前記係止端を前記冠に係止したときの前記第１の磁性体と前記第２の磁性体の吸引力は、前記係止端を前記収納部に係止したときの前記第１の磁性体と前記第３の磁性体の吸引力よりも弱く、
前記係止端は、前記冠を閉じる際に、前記第２の磁性体から離れ、前記第１の磁性体と第３の磁性体との吸引力によって前記収納部に吸着してもよい。
【００１４】
前記第１の磁性体は、前記中蓋の収納部側表面に設置され、
前記第１の磁性体と前記第２の磁性体は、すくなくとも前記中蓋を間に挟んで係止してもよい。
【００１５】
前記固定端は、前記収納部と前記冠との連結部分に着脱可能に固定されていてもよい。
【００１６】
上記目的を達成するため、本発明の第２の観点にかかる中蓋は、
開口部を有する収納部と、前記開口部の一辺に連結され前記開口部を開閉可能に覆う冠と、を備えるランドセルの前記開口部を開閉可能に覆うためのランドセル用の中蓋であって、
前記中蓋は、前記収納部と前記冠との連結部分に固定される固定端と、該固定端の他端である係止端と、を有し、
前記係止端には、前記中蓋を開いた場合に前記中蓋を前記冠に係止し、前記中蓋を閉じた場合に前記収納部を中蓋に係止するための係止具の一部が設置されている、
ことを特徴とする。
【発明の効果】
【００１７】
冠が固定されていない場合であっても、収納物が意図せず外に出ることの少ないランドセル、及びランドセル用の中蓋を提供できる。
【図面の簡単な説明】
【００１８】
【図１】実施形態１に係るランドセルの中蓋を開いた状態の斜視図である。
【図２】実施形態１に係るランドセルの中蓋を閉じた状態の斜視図である。
【図３】実施形態１に係るランドセルの断面図であり、（Ａ）は冠と中蓋を開いた状態を示す図であり、（Ｂ）は冠を閉じた状態を示す図であり、（Ｃ）は中蓋が自動的に大マチの開口前段に係止された状態を示す図であり、（Ｄ）は中蓋が係止された状態で冠が開いた状態を示す図である。
【図４】実施形態２に係るランドセルの中蓋を開いた状態の斜視図である。
【図５】実施形態２に係るランドセルの中蓋を閉じた状態の斜視図である。
【図６】実施形態２に係るランドセルの断面図であり、（Ａ）は冠と中蓋を開いた状態を示す図であり、（Ｂ）は冠を閉じる際に中蓋の係止端が冠から離れる様子を示す図であり、（Ｃ）は冠を閉じた状態を示す図である。
【図７】板状体の配置を説明するための図であり、（Ａ）は板状体を一定の間隔を開けて敷き詰めた様子を説明するための図であり、（Ｂ）は板状体と板状体の間に切り込みを設けた様子を示す図である。
【図８】中蓋に前後から圧力が加わったときの中蓋の動作を説明するための断面図である。
【図９】板状体を一定の間隔を開けて敷き詰めた中蓋に前後から圧力を加えた様子を示す図である。
【発明を実施するための形態】
【００１９】
（実施形態１）
以下、本実施形態のランドセルについて、図面を参照しながら説明する。
ランドセル１００は、教科書やノート等を収納して背中に背負うための鞄であり、図１に示すように、大マチ１１０と、小マチ１２０と、冠（かぶせ）１３０と、中蓋１４０と、係止具１５０等から構成される。なお、以下の説明では、理解を容易にするため、小学生等がランドセル１００を背負ったときの、上方向を「上側」、下方向を「下側」、前進方向を「前側」、後退方向を「後側」、右方向を「右側」、左方向を「左側」と呼ぶ。
【００２０】
大マチ１１０は、上側に開口した箱状の収納部から構成され、開口部の前側には冠１３０が連結されている。また、大マチの下側には、冠１３０を固定するための錠前（不図示）が設置されている。
【００２１】
小マチ１２０は、大マチ１１０より一回り小さい大小２つの収納部から構成され、大マチ１１０の後側に積層されている。
【００２２】
冠１３０は、前後方向または上下方向に長い形状（以下、「縦長形状」という）の柔軟性のあるカバーから構成され、前後方向の一端は大マチ１１０の開口前側に連結されている。また、冠１３０は、他端に金具（不図示）を備えていて、その金具を錠前に固定することで、大マチ１１０の開口を開閉可能に覆う。
【００２３】
中蓋１４０は、大マチ１１０の開口部を冠１３０の内側から覆うための蓋であり、固定端１４１と、係止端１４２と、蓋本体部１４３とから構成される。
【００２４】
固定端１４１は、中蓋１４０の開閉方向の一端であり、大マチ１１０と冠１３０の連結部分に縫着または接着されている。
【００２５】
係止端１４２は、固定端１４１の他端であり、図１に示すように、大マチ１１０側（図中上側）表面には係止具１５０の一部が設置されている。
【００２６】
蓋本体部１４３は、柔軟性のある、例えば、樹脂性のシートから構成され、開閉方向（図中上下方向）の両端の延長には、固定端１４１および係止端１４２が配置されている。
【００２７】
係止具１５０は、係止端１４２を大マチ１１０または冠１３０に係止するためのものであり、図１および図２に示すように、永久磁石１５１と、鉄板１５２と、鉄板１５３とから構成される。
【００２８】
永久磁石１５１は、左右方向に長い形状（以下、「横長形状」という）のシート状の永久磁石であり、図１に示すように、係止端１４２の大マチ１１０側表面に設置されている。
【００２９】
鉄板１５２は、横長形状の鉄の板であり、図１に示すように、大マチ１１０の開口と小マチ１２０の開口との間（以下、「開口前段」という）に設置されている。この鉄板１５２は、中蓋１４０を開いたときの係止端１４２に対応する位置に配置される。
【００３０】
鉄板１５３は、例えば、横長形状の鉄の板であり、図２に示すように、冠１３０の裏側（以下、「冠裏」という）に係止端１４２と平行になるように設置されている。この鉄板１５２は、中蓋１４０を開いたときの係止端１４２に対応する位置に配置される。
【００３１】
上述したように、冠１３０の冠裏には、鉄板１５３が設置されている。そのため、図３（Ａ）に示すように、中蓋１４０を開いたときに、中蓋１４０は、永久磁石１５１と鉄板１５３との吸着力によって冠裏に係止する。
【００３２】
また、永久磁石１５１は、係止端１４２の大マチ１１０側表面に設置されている。そのため、中蓋１４０を冠裏に係止したときに、永久磁石１５１は、図３（Ａ）に示すように、中蓋１４０を間に挟んで鉄板１５３に吸着する。そのため、図３（Ｂ）に示すように、冠１３０を閉じて係止端１４２を開口部前段に接近させると、永久磁石１５１と鉄板１５２の吸着力の方が、永久磁石１５１と鉄板１５３の吸着力より強くなって、係止端１４２は、図３（Ｃ）に示すように、鉄板１５３から自動的に離れて大マチ１１０の開口部前段に係止する。
【００３３】
また、大マチ１１０の後側には、小マチ１２０が積層されている。そのため、図３（Ｃ）に示すように冠１３０を閉じたとしても、係止端１４２と鉄板１５２との間は一定距離が保たれる。しかも、上述したように、永久磁石１５１と鉄板１５３との間の吸着力は、永久磁石１５１と鉄板１５２との間の吸着力よりも弱いので、図３（Ｄ）に示すように、冠１３０が意図せず開いてしまったとしても、中蓋１４０が冠１３０と一緒に開くことはない。
【００３４】
本実施形態によれば、大マチ１１０の開口部が中蓋１４０によってしっかり閉じられるので、冠１３０が錠前によって大マチ１１０に固定されていなくても、小学生等が飛び跳ねたりお辞儀したりしたくらいで、大マチ１１０に入れた教科書等が外に出ることはない。
【００３５】
また、係止具１５０に磁石を使用しているので、錠前のような複雑な操作を要することなく、容易に中蓋１４０を開閉できる。
【００３６】
また、冠１３０の冠裏に中蓋１４０を係止することができるので、大マチ１１０から教科書等を取り出す際に、中蓋１４０が邪魔になることがない。
【００３７】
また、冠１３０を閉じると、永久磁石１５１と鉄板１５３との吸着力によって、中蓋１４０が、自動的に開口部前段に係止されるので、小学生等が中蓋１４０を閉じ忘れても、大マチ１１０の開口部を確実に閉じることができる。
【００３８】
なお、本実施形態のランドセル１００は、「係止端１４２に永久磁石、冠１３０および大マチ１１０に鉄板」が配置されているが、永久磁石と鉄板の位置は上記に限られない。例えば、「係止端１４２に鉄板、冠１３０および大マチ１１０に永久磁石」が配置されていてもよいし、「係止端１４２と冠１３０と大マチ１１０の全てに永久磁石」が配置されていてもよい。また、「係止端１４２と冠１３０に永久磁石、大マチ１１０に鉄板」が配置されていてもよいし、「係止端１４２と大マチ１１０に永久磁石、冠１３０に鉄板」が配置されていてもよい。
【００３９】
また、係止具１５０は鉄板に限られず、例えば、鉄、コバルト、ニッケル等のいわゆる強磁性体を含む物体（以下、単に「磁性体」という）であってもよい。なお、強磁性体は、例えば、アルニコ磁石、フェライト磁石、ネオジム磁石等の永久磁石であってもよい。
【００４０】
また、本実施形態のランドセル１００は、係止端１４２の片面に磁性体が配置されているが、係止端１４２の両面に磁性体が配置されていてもよい。この場合、係止端１４２と開口部前段との吸引力が係止端１４２と冠裏との吸引力より強くなるように、磁性体が配置されていてもよい。例えば、係止端１４２の大マチ１１０側および開口部前段に永久磁石、係止端１４２の冠１３０側および冠裏の一方に鉄板、他方に永久磁石が配置されていてもよい。また、永久磁石の磁力の差によって吸引力に差を設けてもよい。例えば、所定の磁力の永久磁石が開口部前段に、それよりも磁力の弱い永久磁石が冠裏に、鉄板が係止端１４２の両面に、それぞれ配置されていてもよい。同様に、磁力の異なる永久磁石が係止端１４２の両面に、鉄板が開口部前段および冠裏に、それぞれ配置されていてもよい。
【００４１】
また、磁性体が設置される位置は大マチ１１０の開口部前段に限られず、例えば、小マチ１２０の後側であってもよい。また、磁性体が設置される位置は、係止端１４２の表面に限られず、例えば、係止端１４２の内部であってもよい。
【００４２】
また、磁性体は、上述したような、１枚の細長い板またはシートに限られず、例えば、複数の薄い小さな磁石を、横一列に配置してもよい。
【００４３】
また、係止端１４２の係止手段は磁性体に限られず、例えば、面ファスナーであってもよい。この場合、係止端１４２の大マチ１１０側と開口部前段、および、係止端１４２の冠１３０側と冠裏に、それぞれ対となる面ファスナーを設置してもよい。
【００４４】
また、係止具１５０は磁性体と面ファスナーとの組み合わせであってもよい。例えば、面ファスナーが係止端１４２の大マチ１１０側および開口部前段に、磁性体が係止端１４２の冠１３０側および冠裏に配置されていてもよい。面ファスナーの接着力は磁石の吸引力より強いので、これにより、中蓋１４０が冠１３０と一緒に開くことを確実に抑制できる。
【００４５】
また、固定端１４１は、大マチ１１０と冠１３０の連結部分に縫着または接着されていたが、例えば、固定端１４１や連結部分に面ファスナーや磁石等を設置して、中蓋１４０を着脱可能にしてもよい。中蓋１４０の取替えが容易になる。
【００４６】
（実施形態２）
実施形態１では、磁性体の吸引力の差を利用して、係止端１４２を自動的に開口部前段に係止するようにしたが、冠１３０を閉じる際の圧力を利用して、係止端１４２を自動的に開口部前段に係止するようにすることも可能である。以下、冠１３０の圧力を利用して、係止端１４２を自動的に開口部前段に係止するランドセル２００について説明する。
【００４７】
ランドセル２００は、図４に示すように、大マチ１１０と、小マチ１２０と、冠１３０と、中蓋１４０と、係止具１５０等から構成される。なお、中蓋１４０と、係止具１５０以外の構成については、実施形態１と同様であるので説明を省略する。
【００４８】
中蓋１４０は、大マチ１１０開口部を覆う中蓋であり、固定端１４１と、係止端１４２と、蓋本体部１４３とから構成される。
【００４９】
固定端１４１は、中蓋１４０の開閉方向の一端であり、大マチ１１０と冠１３０の連結部分に縫着または接着されている。
【００５０】
係止端１４２は、固定端１４１の他端であり、図４に示すように、大マチ１１０側（図中上側）表面には、永久磁石１５１ａが、図５に示すように、冠１３０側（図中後側）表面には永久磁石１５１ｂが設置されている。
【００５１】
蓋本体部１４３は、大マチ１１０側に向かって反るときの反り量が冠１３０側に向かって反るときの反り量よりも小さい性質（すなわち、一方向に大きく曲がる性質）を有するシャッター状のカバーであり、図６（Ａ）に示すように、シート１４３ａと、複数の板状体１４３ｂとから構成される。
【００５２】
シート１４３ａは、所定の柔軟性と張力を有する、例えば、下敷のような樹脂性シートや、画用紙を複数枚重ねたような厚紙等から構成される。
【００５３】
板状体１４３ｂは、一定の硬度を有する横長の直方体状の板であり、図６（Ａ）に示すように、シート１４３ａの大マチ１１０側（図中上側）表面に、固定端１４１および係止端１４２と平行となるように、複数並べられて接着されている。
【００５４】
係止具１５０は、係止端１４２を係止するためのものであり、永久磁石１５１ａと、永久磁石１５１ｂと、鉄板１５２と、鉄板１５３とから構成される。
【００５５】
永久磁石１５１ａ、永久磁石１５１ｂは、横長形状の永久磁石であり、永久磁石１５１ａは係止端１４２の大マチ１１０側表面に、永久磁石１５１ｂは係止端１４２の冠１３０側表面に設置されている。
【００５６】
鉄板１５２と、鉄板１５３は、横長形状の鉄の板であり、鉄板１５２は大マチ１１０の開口前段に、鉄板１５３は、冠１３０の裏側に設置されている。なお、鉄板１５３は、図６（Ａ）に示すように、中蓋１４０を開いた場合に係止端１４２に対応する位置で、かつ、図６（Ｃ）に示すように、中蓋１４０および冠１３０を閉じた場合に永久磁石１５１ｂから離れる位置に設置される。
【００５７】
上述したように、係止端１４２の冠１３０側表面には永久磁石１５１ｂが設置されているので、永久磁石１５１ｂは、中蓋１４０を開いたときに、図６（Ａ）に示すように、間に何も挟まずに、鉄板１５３と直接接する。そのため、永久磁石１５１ｂと鉄板１５３との間には強い吸引力が発生することになり、中蓋１４０は、シート１４３ａの張力に逆らって、冠１３０側に大きく反って冠１３０に係止した状態を維持する。
【００５８】
また、蓋本体部１４３の大マチ１１０側には複数の板状体１４３ｂが設置されているので、冠１３０を閉じる際に、図６（Ｂ）に示すように、板状体１４３ｂ同士がぶつかりあって、蓋本体部１４３の大マチ１１０側への反り量は一定量以下に抑制される。一方、冠１３０は、柔軟性を有しているので、大マチ１１０側へ大きく反り、大マチ１１０の開口部の上側で曲面を形成する。そのため、冠１３０を閉じる過程で、図６（Ｂ）に示すように、係止端１４２は、冠１３０の圧力によって、自然に鉄板１５３と離れることになり、さらに、図６（Ｃ）に示すように、永久磁石１５１ａと鉄板１５２との吸引力によって、自動的に大マチ１１０の開口前段に係止する。
【００５９】
本実施形態によれば、冠１３０の閉じる際の圧力によって、係止端１４２を鉄板１５３と離すことができ、さらに、永久磁石１５１ａと鉄板１５２との吸引力によって、係止端１４２を自動的に開口部前段に係止することができるので、小学生等が中蓋１４０を閉じ忘れても、大マチ１１０の開口部を確実に閉じることができる。
【００６０】
なお、板状体１４３ｂと板状体１４３ｂの間には、図７（Ａ）に示すように隙間が開いていてもよいし、図７（Ｂ）に示すように、大マチ１１０側に向かって開いた、例えば、Ｖ字状の切り込みが入れられていてもよい。
【００６１】
板状体１４３ｂと板状体１４３ｂの間に隙間や切り込みがない場合、冠１３０を閉じる際に、図８に示すように、冠１３０の圧力によって蓋本体部１４３が冠１３０側に反ってしまい、最終的に、係止端１４２と鉄板１５３とが離れない可能性がある。
【００６２】
しかしながら、板状体１４３ｂと板状体１４３ｂの間に「隙間」や「切り込み」を入れることによって、蓋本体部１４３は、シート１４３ａの元の形状に戻ろうとする力（すなわち張力）と、その勢い（すなわち、シート１４３ａに発生した冠１３０方向への運動エネルギー）とによって、図９に示すように、大マチ１１０側に向かって僅かに反ることになる。この状態で前後から中蓋１４０に圧力が加わっても、蓋本体部１４３が冠１３０側に反ることはないので、冠１３０を閉じる過程で、係止端１４２と鉄板１５３とを確実に離すことができる。
【００６３】
なお、磁性体の設置位置は上記に限られず、実施形態１と同様に、「係止端１４２に鉄板、冠１３０および大マチ１１０に永久磁石」等であってもよい。また、小マチ１２０の後側であってもよいし、係止端１４２の内部であってもよい。また、係止端１４２を係止する手段は鉄板以外の磁性体であってもよいし、面ファスナーであってよい。さらに、係止具１５０は面ファスナーと磁性体の組み合わせであってもよい。
【００６４】
また、実施形態１と同様に、係止端１４２の冠１３０側表面に磁性体を設けず、係止端１４２の大マチ１１０側表面に設けた磁性体と、冠１３０の冠裏に設けた磁性体とを係止端１４２を間に挟んで係止するようにしてもよい。
【００６５】
また、固定端１４１に面ファスナー等を設けることによって、中蓋１４０を着脱可能にしてもよい。
【符号の説明】
【００６６】
１００          ランドセル
１１０          大マチ
１２０          小マチ
１３０          冠
１４０          中蓋
１４１          固定端
１４２          係止端
１４３          蓋本体部
１４３ａ        シート
１４３ｂ        板状体
１５０          係止具
１５１          永久磁石
１５２〜１５３  鉄板
２００          ランドセル
【要約】
【課題】冠が固定されていない場合であっても、収納物が意図せず外に出ることの少ないランドセル等を提供する。
【解決手段】ランドセル１００は、開口部を有する大マチ１１０と、開口部の一辺に連結され開口部を開閉可能に覆う冠１３０と、固定端１４２を軸に開口部を開閉可能に覆う中蓋１４０と、中蓋１４０を開いた場合に係止端１４３を冠１３０に係止し、中蓋１４０を閉じた場合に係止端１４３を大マチ１１０に係止する係止具１５０と、を備える。
【選択図】図１【図１】
0004778122.tif 000002
【図２】
0004778122.tif 000003
【図３】
0004778122.tif 000004
【図４】
0004778122.tif 000005
【図５】
0004778122.tif 000006
【図６】
0004778122.tif 000007
【図７】
0004778122.tif 000008
【図８】
0004778122.tif 000009
【図９】
0004778122.tif 000010